(57)【特許請求の範囲】
【請求項１】
二輪車本体に固定されるブラケットと、
前記ブラケットに回動可能に設けられた回動部材と、
前記回動部材の回動中心から離れた位置に形成された被係合手段と、
前記ブラケットに設けられ、前記回動部材の任意の回動位置で前記被係合手段に係合することによって前記回動部材を固定する係合手段と、
前記回動部材に着脱可能に取付けられ、又は前記回動部材に一体的に設けられた取付部品と、
前記ブラケットに設けられ、前記回動部材又は前記取付部品の回動範囲を規制するストッパと、
を有し、
前記係合手段は、前記ブラケットから延設され、前記被係合手段と係合すると共に、前記被係合手段と係合した位置から離間する方向に撓み変形可能な係合部材であり、
前記係合手段は、凸部又は凹部を備え、
前記被係合手段は、前記回動部材の回動方向に沿って形成され、前記係合手段が係合可能な複数の凹部又は複数の凸部を備え、
前記ストッパは、
前記回動部材の回動範囲に形成された開口部と、
前記ブラケットに設けられ、前記開口部に挿入され前記開口部の内壁に当接して前記回動部材の回動を制限する突起部と、
を備えることを特徴とする取付部品角度調整機構。
【請求項２】
二輪車本体に固定されるブラケットと、
前記ブラケットに回動可能に設けられた回動部材と、
前記回動部材の回動中心から離れた位置に形成された被係合手段と、
前記ブラケットに設けられ、前記回動部材の任意の回動位置で前記被係合手段に係合することによって前記回動部材を固定する係合手段と、
前記回動部材に着脱可能に取付けられ、又は前記回動部材に一体的に設けられた取付部品と、
前記ブラケットに設けられ、前記回動部材又は前記取付部品の回動範囲を規制するストッパと、
を有し、
前記係合手段は、前記ブラケットから延設され、前記被係合手段と係合すると共に、前記被係合手段と係合した位置から離間する方向に撓み変形可能な係合部材であり、
前記係合手段は、凸部又は凹部を備え、
前記被係合手段は、前記回動部材の回動方向に沿って形成され、前記係合手段が係合可能な複数の凹部又は複数の凸部を備え、
前記ストッパは、前記回動部材又は前記取付部品の回動方向の両側に設けられ、前記ブラケットに当接可能な当接部であることを特徴とする取付部品角度調整機構。
【請求項３】
前記取付部品は前記回動部材にスライド可能に装着され、
前記取付部品に、前記取付部品の装着位置で前記突起部に係止される係止部が設けられていることを特徴とする請求項１に記載の取付部品角度調整機構。
【請求項４】
前記二輪車本体がハンドルであり、前記取付部品がランプであることを特徴とする請求項１から請求項３までのいずれか１項に記載の取付部品角度調整機構。
【請求項５】
請求項１から請求項４までのいずれか１項に記載の取付部品角度調整機構を備えることを特徴とする二輪車。
【発明の詳細な説明】
【技術分野】
【０００１】
本発明は、二輪車本体に取付けられた取付部品の角度を調整可能な取付部品角度調整機構、及びこの取付部品角度調整機構を備えた二輪車に関する。
【背景技術】
【０００２】
従来、二輪車等のハンドルに取付けられたヘッドランプの角度を調整可能な取付装置が設けられている。
【０００３】
特許文献１に記載される取付装置では、第１の取付部品に第３の取付部品が回動可能に配置されており、第１の取付部品は第３の取付部品とともに取付ねじとナットによってハンドルに締結固定されている。第３の取付部品の上には第２の取付部品が着脱自在に取付けられており、第２の取付部品の上にはヘッドランプがヘッドランプ取付ねじによって固定されている。第３の取付部品は、第１の取付部品と第２の取付部品とを相対的に回転自在としており、取付ねじを緩めて第３の取付部品を所定位置に回動させ、取付ねじを締付けることで、第３の取付部品及び第１の取付部品がハンドルに固定される。これによって、第２の取付部品に固定されたヘッドランプの角度が調整されるようになっている。
【特許文献１】特許第３６６８７６５号公報
【発明の開示】
【発明が解決しようとする課題】
【０００４】
しかしながら、特許文献１に記載の取付装置では、第１の取付部品をハンドルに固定する縦方向の固定と、第２の取付部品及び第３の取付部品を所定の回動位置で固定する横方向の固定とを１セットの取付ねじとナットで行うので、２軸の固定を同時に行う必要があり、操作性が低下する。つまり、第２の取付部品及び第３の取付部品の横方向の向きだけを変更しようとしても、縦方向も動く場合があり、また、第１の取付部品の縦方向の向きだけを変更しようとしても、横方向も動く場合がある。
【０００５】
本発明は、上記問題点に鑑みてなされたものであり、取付部品の回動角度を変更するときの操作性を向上することができる取付部品角度調整機構及び二輪車を提供することを目的とする。
【課題を解決するための手段】
【０００６】
請求項１に記載の発明に係る取付部品角度調整機構は、二輪車本体に固定されるブラケットと、前記ブラケットに回動可能に設けられた回動部材と、前記回動部材の回動中心から離れた位置に形成された被係合手段と、前記ブラケットに設けられ、前記回動部材の任意の回動位置で前記被係合手段に係合することによって前記回動部材を固定する係合手段と、前記回動部材に着脱可能に取付けられ、又は前記回動部材に一体的に設けられた取付部品と、前記ブラケットに設けられ、前記回動部材又は前記取付部品の回動範囲を規制するストッパと、を有し、前記係合手段は、前記ブラケットから延設され、前記被係合手段と係合すると共に、前記被係合手段と係合した位置から離間する方向に撓み変形可能な係合部材であり、前記係合手段は、凸部又は凹部を備え、前記被係合手段は、前記回動部材の回動方向に沿って形成され、前記係合手段が係合可能な複数の凹部又は複数の凸部を備え、前記ストッパは、前記回動部材の回動範囲に形成された開口部と、前記ブラケットに設けられ、前記開口部に挿入され前記開口部の内壁に当接して前記回動部材の回動を制限する突起部と、を備えることを特徴としている。
【０００７】
請求項１に記載の発明では、二輪車本体に固定されたブラケットに回動部材が回動可能に設けられており、回動部材には、取付部品が着脱可能に取付けられ、又は取付部品が一体的に設けられている。ブラケットにはストッパが設けられており、回動部材又は取付部品の回動範囲が規制される。また、回動部材の回動中心から離れた位置に被係合手段が形成されており、ブラケットに設けられた係合手段を回動部材の任意の回動位置で被係合手段に係合させることによって回動部材が固定される。取付部品のブラケットに対する回動角度を変更する際には、係合手段と被係合手段との係合を解除して回動部材を任意の回動位置に回動し、係合手段を被係合手段に係合させる操作を行うことで、回動部材及び取付部品が任意の回動位置で固定される。その際、ブラケットが二輪車本体に固定された状態で、係合手段と被係合手段の操作により取付部品の回動角度を変更することができ、操作性が向上する。
【０００９】
また、係合手段がブラケットから延設された係合部材であり、係合部材は、被係合手段と係合した位置から離間する方向に撓み変形可能となっている。取付部品のブラケットに対する回動角度を変更する際には、係合部材を撓み変形させて被係合手段との係合を解除することで、回動部材が回動可能となる。そして、回動部材を任意の回動位置に回動させて係合部材の撓み変形を解除することで、係合部材が被係合手段に係合され、回動部材が固定される。このため、取付部品の回動角度を容易に変更することができ、操作性がさらに良好となる。
【００１３】
また、係合手段が凸部又は凹部を備えており、被係合手段が回動部材の回動方向に沿って形成された複数の凹部又は複数の凸部を備えているので、回動部材を任意の回動位置に回動させたときに、凸部が複数の凹部のいずれか１つと係合し、又は凹部が複数の凸部のいずれか１つと係合する。このため、簡単な構成により、回動部材を任意の回動位置で固定することができる。
【００１７】
また、回動部材の回動範囲に開口部が形成され、ブラケットに設けられた突起部が開口部に挿入されているので、回動部材が回動したときに、ブラケットの突起部が回動部材の開口部の内壁に当接する。これによって、回動部材の回動を制限することができる。
【００１８】
請求項２に記載の発明に係る取付部品角度調整機構は、二輪車本体に固定されるブラケットと、前記ブラケットに回動可能に設けられた回動部材と、前記回動部材の回動中心から離れた位置に形成された被係合手段と、前記ブラケットに設けられ、前記回動部材の任意の回動位置で前記被係合手段に係合することによって前記回動部材を固定する係合手段と、前記回動部材に着脱可能に取付けられ、又は前記回動部材に一体的に設けられた取付部品と、前記ブラケットに設けられ、前記回動部材又は前記取付部品の回動範囲を規制するストッパと、を有し、前記係合手段は、前記ブラケットから延設され、前記被係合手段と係合すると共に、前記被係合手段と係合した位置から離間する方向に撓み変形可能な係合部材であり、前記係合手段は、凸部又は凹部を備え、前記被係合手段は、前記回動部材の回動方向に沿って形成され、前記係合手段が係合可能な複数の凹部又は複数の凸部を備え、前記ストッパは、前記回動部材又は前記取付部品の回動方向の両側に設けられ、前記ブラケットに当接可能な当接部であることを特徴としている。
【００１９】
請求項２に記載の発明では、二輪車本体に固定されたブラケットに回動部材が回動可能に設けられており、回動部材には、取付部品が着脱可能に取付けられ、又は取付部品が一体的に設けられている。ブラケットにはストッパが設けられており、回動部材又は取付部品の回動範囲が規制される。また、回動部材の回動中心から離れた位置に被係合手段が形成されており、ブラケットに設けられた係合手段を回動部材の任意の回動位置で被係合手段に係合させることによって回動部材が固定される。取付部品のブラケットに対する回動角度を変更する際には、係合手段と被係合手段との係合を解除して回動部材を任意の回動位置に回動し、係合手段を被係合手段に係合させる操作を行うことで、回動部材及び取付部品が任意の回動位置で固定される。その際、ブラケットが二輪車本体に固定された状態で、係合手段と被係合手段の操作により取付部品の回動角度を変更することができ、操作性が向上する。
また、係合手段がブラケットから延設された係合部材であり、係合部材は、被係合手段と係合した位置から離間する方向に撓み変形可能となっている。取付部品のブラケットに対する回動角度を変更する際には、係合部材を撓み変形させて被係合手段との係合を解除することで、回動部材が回動可能となる。そして、回動部材を任意の回動位置に回動させて係合部材の撓み変形を解除することで、係合部材が被係合手段に係合され、回動部材が固定される。このため、取付部品の回動角度を容易に変更することができ、操作性がさらに良好となる。
また、係合手段が凸部又は凹部を備えており、被係合手段が回動部材の回動方向に沿って形成された複数の凹部又は複数の凸部を備えているので、回動部材を任意の回動位置に回動させたときに、凸部が複数の凹部のいずれか１つと係合し、又は凹部が複数の凸部のいずれか１つと係合する。このため、簡単な構成により、回動部材を任意の回動位置で固定することができる。
また、回動部材又は取付部品の回動方向の両側に当接部が設けられており、回動部材又は取付部品が回動したときに当接部がブラケットに当接する。これによって、回動部材又は取付部品の回動を制限することができる。
【００２０】
請求項３に記載の発明は、請求項１に記載の取付部品角度調整機構において、前記取付部品は前記回動部材にスライド可能に装着され、前記取付部品に、前記取付部品の装着位置で前記突起部に係止される係止部が設けられていることを特徴としている。
【００２１】
請求項３に記載の発明では、取付部品は回動部材にスライド可能に装着されており、取付部品の装着位置で、取付部品に設けられた係止部がブラケットに設けられた突起部に係止される。これによって、取付部品を回動部材に容易に着脱することができ、取付部品の交換などが可能でメンテナンス性が良い。
【００２２】
請求項４に記載の発明は、請求項１から請求項３までのいずれか１項に記載の取付部品角度調整機構において、前記二輪車本体がハンドルであり、前記取付部品がランプであることを特徴としている。
【００２３】
請求項４に記載の発明では、ブラケットがハンドルに固定されており、ランプが回動部材によりブラケットに対して回動可能である。その際、ブラケットがハンドルに固定された状態で、ランプの回動角度を変更することができ、操作性が良好となる。
【００２４】
請求項５に記載の発明に係る二輪車は、請求項１から請求項４までのいずれか１項に記載の取付部品角度調整機構を備えることを特徴としている。
【００２５】
請求項５に記載の発明では、ブラケットを二輪車本体に固定した状態で、係合手段と被係合手段の操作により取付部品の回動角度を変更することができ、操作性が良好となる。
【発明の効果】
【００２６】
請求項１の発明に係る取付部品角度調整機構では、ブラケットを二輪車本体に固定した状態で、係合手段と被係合手段の操作により取付部品の回動角度を変更することができ、操作性が向上する。
【００２７】
また、係合部材の操作により取付部品の回動角度を変更することができ、操作性がより一層良好となる。
【００２９】
さらに、簡単な構成により、回動部材を任意の回動位置で固定することができる。
【００３１】
さらにまた、簡単な構成により、回動部材の回動範囲を制限することができる。
【００３２】
請求項２の発明に係る取付部品角度調整機構では、ブラケットを二輪車本体に固定した状態で、係合手段と被係合手段の操作により取付部品の回動角度を変更することができ、操作性が向上する。
また、係合部材の操作により取付部品の回動角度を変更することができ、操作性がより一層良好となる。
さらに、簡単な構成により、回動部材を任意の回動位置で固定することができる。
さらにまた、簡単な構成により、回動部材の回動範囲を制限することができる。
【００３３】
請求項３の発明に係る取付部品角度調整機構では、取付部品を回動部材に容易に着脱することができ、取付部品の交換などが可能でメンテナンス性が良い。
【００３４】
請求項４の発明に係る取付部品角度調整機構では、ブラケットをハンドルに固定した状態で、ランプの回動角度を変更することができ、操作性が良好となる。
【００３５】
請求項５の発明に係る二輪車では、ブラケットを二輪車本体に固定した状態で、取付部品の回動角度を変更することができ、操作性が良好となる。
【発明を実施するための最良の形態】
【００３６】
〔第１実施形態〕
【００３７】
以下、図１〜図１３を用いて、本発明に係る取付部品角度調整機構の第１実施形態について説明する。図１には、取付部品角度調整機構としてのランプ角度調整装置１０の斜視図が示されている。図２には、図１に示すランプ角度調整装置１０を別の方向から見た斜視図が示されている。
【００３８】
図１４に示されるように、ランプ角度調整装置１０は、二輪車１に設けられたハンドル２に取付けられている。ハンドル２は、ヘッドパイプ４の上部に略Ｔ字状に配設され、ヘッドパイプ４と相対回転可能に設けられている。ハンドル２の両端部にはグリップ６が取付けられており、ランプ角度調整装置１０は、ハンドル２の幅方向右側のグリップ６の近くに取付けられている。
【００３９】
図１〜図６に示されるように、ランプ角度調整装置１０は、ハンドル２に取付けられるブラケット１２と、ブラケット１２に回動可能に設けられた回動部材１４と、回動部材１４に着脱可能に取付けられる取付部品としてのランプ１６と、を備えている。
【００４０】
図５〜図７に示されるように、ブラケット１２は、ハンドル２の外周面に沿って湾曲した形状の凹部２０Ａが形成された挟持部２０を備えている。挟持部２０には、凹部２０Ａの周方向の一部を切り離して形成された開口部２１が設けられており、挟持部２０の一端部２０Ｂと他端部２０Ｃが開口部２１を挟んで図５中の上下方向に対向している。一端部２０Ｂ及び他端部２０Ｃには、取付ネジ２６が挿通される挿通孔２２Ａ、２２Ｂが形成されている。取付ネジ２６の頭部には、ユーザーが指で摘んで操作することができる摘み部２６Ａが設けられており、摘み部２６Ａには指で摘みやすくするための複数の凹状部が形成されている。挟持部２０の一端部２０Ｂの上面には、ナット２８が嵌合される略六角形の穴部２４が形成されている。
【００４１】
挟持部２０の一端部２０Ｂと連続する上面部２０Ｄには、回動部材１４を回動可能に支持する軸部３４が挿通される挿通孔３０が設けられている。回動部材１４には軸部３４が挿通される挿通孔３２が設けられている。軸部３４はボルトであり、回動部材１４の上方側から回動部材１４の挿通孔３２と挟持部２０の挿通孔３０に挿通された状態で、挿通孔３０の下方側からナット３６が締結されることで、軸部３４がブラケット１２に取付けられている。この状態で、回動部材１４がブラケット１２に対して軸部３４を中心として回動可能となっている。軸部３４は、図５中のブラケット１２及び回動部材１４の上下方向（ハンドル２の軸方向と直交する方向）に沿って配設されており、回動部材１４は、ブラケット１２に対して軸部３４を中心として横方向に回動可能に設定されている。
【００４２】
ブラケット１２の上面部２０Ｄの一端部２０Ｂと反対側には、上面部２０Ｄから延びた係合部材としての長板状の突出片４０が設けられている。突出片４０の両側には、スリット４２が形成されている。ブラケット１２は樹脂で一体的に形成されており、図８に示されるように、突出片４０が、挟持部２０の上面部２０Ｄの延長線上の位置から下方側（矢印Ａ方向）に弾性的に撓み変形可能となっている。図６及び図７に示されるように、突出片４０の先端部には、上方側に突出する突起４０Ａが設けられており、突起４０Ａの軸部３４側の壁面には、係合部材としての凸部４０Ｂが形成されている。凸部４０Ｂは、尖形であり、１個形成されている。突起４０Ａの先端側（軸部３４と反対側）には、ユーザーが指で下方側（矢印Ａ方向）に押すことができる湾曲凹状の操作部４０Ｃが設けられている。操作部４０Ｃには、滑り止めのための複数の凹凸が突出片４０の長手方向と直交する方向に形成されている。
【００４３】
また、ブラケット１２は、挟持部２０の他端部２０Ｃが一端部２０Ｂから離れる方向に撓み変形可能に構成されており、他端部２０Ｃを一端部２０Ｂから離れる方向に撓み変形させることで、ハンドル２に外挿可能となっている。また、取付ネジ２６とナット２８は、ブラケット１２に図５中の上下方向に沿って締結されるため、ブラケット１２をハンドル２に取付けた際に、取付ネジ２６によりブラケット１２の上下方向（縦方向）の位置やハンドル２の軸方向の取付位置を調整することができる。
【００４４】
図５及び図６に示されるように、回動部材１４は、略矩形状の部材からなり、長手方向の一端面には、ブラケット１２への取付時に突起４０Ａと対向する位置に、凸部４０Ｂと係合可能な被係合手段としての複数の凹部４４が回動部材１４の回動方向に沿って形成されている。凹部４４は、尖形の凸部４０Ｂが係合可能な尖形に形成されている。複数の凹部４４は、軸部３４から離れた位置に、軸部３４を中心として略円弧状に配置されている。ブラケット１２の突出片４０に設けられた凸部４０Ｂは、回動部材１４が軸部３４を中心として回動したときに、任意の回動位置で回動部材１４の複数の凹部４４のいずれか１つと係合され、回動部材１４を固定できるようになっている（図９及び図１０参照）。また、ブラケット１２の突出片４０は、凸部４０Ｂが回動部材１４の凹部４４に係合した位置から下方側の凸部４０Ｂが凹部４４と離間した位置に撓み変形可能となっている（図８参照）。
【００４５】
回動部材１４の挿通孔３２と複数の凹部４４との間には、ストッパとしての略矩形状の開口部４６が回動部材１４の回動範囲に形成されている。ブラケット１２の突出片４０の上面には、開口部４６に挿入可能なストッパとしての突起部４８が設けられている（図１０参照）。突起部４８は、回動部材１４の開口部４６の回動方向両側の内壁４７間の寸法より小さく形成されている。これにより、回動部材１４が回動したときに、開口部４６の内壁４７が突起部４８の両側の壁部４８Ａに当接することで、回動部材１４の回動が規制されるようになっている。突起部４８の上面には、軸部３４と対向する下部側が上部側に対して下り勾配となるテーパー部４８Ｂが形成されている。
【００４６】
回動部材１４は、長手方向と直交する方向に沿った断面が略ハット形状に形成されており、両端部がランプ１６をスライド可能に装着するレール部１４Ａ、１４Ｂとなっている。図３及び図４に示されるように、ランプ１６の下部側に突出する取付部５２には、レール部１４Ａ、１４Ｂにスライド可能に係合される溝部５２Ａ、５２Ｂが形成されている。そして、ランプ１６の溝部５２Ａ、５２Ｂを回動部材１４のレール部１４Ａ、１４Ｂに係合させてスライドさせることで、ランプ１６が回動部材１４に装着されるようになっている。ランプ１６の下部には、ランプ１６の回動部材１４への装着位置で、ブラケット１２の突起部４８（図５及び図９参照）に係止される係止部５４が設けられている。係止部５４の下面には、ランプ１６の装着方向の上部側が下部側よりも上り勾配となるテーパー部５４Ａが形成されている。これにより、ランプ１６を回動部材１４に装着するときに係止部５４のテーパー部５４Ａと突起部４８のテーパー部４８Ｂが摺動するため、係止部５４が突起部４８に係止されやすく、抜けにくい構造となっている。
【００４７】
図３及び図４に示されるように、ランプ１６は、矩形状に形成されており、長手方向の一端側の端面（ランプ１６の組み付け時におけるブラケット１２の操作部４０Ｃと反対側）に点灯部１６Ａが設けられている。また、ランプ１６には、長手方向の他端側の端面（ランプ１６の組み付け時におけるブラケット１２の操作部４０Ｃ側）に点灯部１６Ａを点灯及び消灯するスイッチ１６Ｂが設けられている。
【００４８】
次に、本実施形態の作用及び効果について説明する。
【００４９】
図３、図５及び図６に示されるように、ブラケット１２の一端部２０Ｂの穴部２４には予めナット２８が嵌合されている。さらに、ブラケット１２に回動部材１４が軸部３４とナット３６とを螺合させることにより取付けられている。このとき、例えば図１１に示されるように、ブラケット１２に設けられた突出片４０の凸部４０Ｂが、回動部材１４の複数の凹部４４のいずれか１つと係合されている。
【００５０】
図１、図２、図５及び図６に示されるように、ブラケット１２をハンドル２に取付ける際には、挟持部２０の他端部２０Ｃを一端部２０Ｂから離れる方向に弾性変形させて、凹部２０Ａをハンドル２の外周面に外挿し、他端部２０Ｃの下方側から一端部２０Ｂ及び他端部２０Ｃの挿通孔２２Ａ、２２Ｂに取付ネジ２６の軸部を挿入する。そして、取付ネジ２６の摘み部２６Ａを摘んで回転させ、一端部２０Ｂの穴部２４に嵌合されているナット２８に取付ネジ２６の軸部を螺合させることで、ブラケット１２がハンドル２に固定される。
【００５１】
また、ランプ１６の取付部５２の溝部５２Ａ、５２Ｂを回動部材１４のレール部１４Ａ、１４Ｂに係合させてスライドさせることにより、ランプ１６が回動部材１４に着脱可能に装着させる。ランプ１６の装着位置では、ランプ１６の係止部５４がブラケット１２の突起部４８に係止され、ランプ１６がブラケット１２及び回動部材１４に固定される。
【００５２】
ランプ１６のブラケット１２及びハンドル２に対する回動角度を変更する際には、ユーザーが突出片４０の操作部４０Ｃを下方側（図８中の矢印Ａ方向）に押して撓み変形させることで、突出片４０の凸部４０Ｂと回動部材１４の凹部４４との係合が解除される。この状態で、回動部材１４をブラケット１２に対して軸部３４を中心に回動させることが可能となり、回動部材１４を任意の回動位置に回動させて突出片４０の操作部４０Ｃの下方側への押圧を解除する。これにより、突出片４０の凸部４０Ｂが回動部材１４の複数の凹部４４のいずれか１つと係合され、回動部材１４が固定される。例えば図１２に示すように、回動部材１４の点灯部１６Ａ（図４参照）側の先端を図中の左方向に回動させた状態で、突出片４０の凸部４０Ｂを回動部材１４の左端の凹部４４に係合させることができる。また、図１３に示すように、回動部材１４を点灯部１６Ａ（図４参照）側の先端を図中の右方向に回動させた状態で、突出片４０の凸部４０Ｂを回動部材１４の右端の凹部４４に係合させることができる。
【００５３】
このように突出片４０の操作部４０Ｃの下方側へ押圧して回動部材１４を回動させるという簡単な操作により、ランプ１６の回動角度を変更することできる。また、ブラケット１２は、取付ネジ２６とナット２８によりハンドル２に締結固定されているので、ブラケット１２をハンドル２に固定した状態で、ランプ１６の横方向の角度を変更することができ、操作性が良い。すなわち、突出片４０の凸部４０Ｂと回動部材１４の凹部４４との係合を解除しても、ブラケット１２のハンドル２に対する縦方向の位置が変わることがなく、回動部材１４の横方向の角度の調整が容易である。
【００５４】
また、ブラケット１２の突起部４８が回動部材１４の開口部４６に挿入されており、回動部材１４が横方向に回動したときに、開口部４６の回動方向両側の内壁４７が突起部４８の壁部４８Ａに当接することで、回動部材１４の回動を規制することができる。
【００５５】
なお、上記の第１実施形態では、ブラケット１２に尖形の凸部４０Ｂを設け、回動部材１４に複数の尖形の凹部４４を設けたが、係合可能であれば他の形状でもよい。また、ブラケット１２に凹部を設け、回動部材１４に複数の凸部を設ける構成でもよい。
【００５６】
図１５には、第１実施形態の変形例に係るランプ角度調整装置１００が示されている。なお、前述した第１実施形態と同一構成部分については、同一番号を付してその説明を省略する。
【００５７】
図１５に示されるように、回動部材１０２には、突起４０Ａの長手方向と直交する方向の側壁と対向する位置に、ストッパとしての一対の壁部（当接部）１０４が設けられている。このランプ角度調整装置１００では、回動部材１０２が横方向に回動したときに、壁部１０４が突起４０Ａの側壁に当接することで、回動部材１０２の回動を規制することができる。
【００５８】
〔第２実施形態〕
【００５９】
以下、図１６〜図２１を用いて、本発明の第２実施形態について説明する。なお、前述した第１実施形態と同一構成部分については、同一番号を付してその説明を省略する。
【００６０】
図１６〜図１８に示されるように、ランプ角度調整装置１１０は、ハンドル２（図１４参照）に取付けられるブラケット１１２と、ブラケット１１２に回動可能に設けられた回動部材１１４と、回動部材１１４に着脱可能に取付けられるランプ１１６と、を備えている。
【００６１】
ブラケット１１２の上面部１１２Ａには、一端部２０Ｂと反対側に、係合部材としての長板状の突出片４０が延設されている。本実施形態では、突出片４０の両側には、スリットは設けられておらず、ブラケット１１２から延設される外側の部材もない。上面部１１２Ａの幅方向両側には、幅方向外側に延出される延出部１１８が設けられている。この延出部１１８を設けることで、回動部材１１４の回動時における左右方向への荷重を受けやすくすることが可能となる。また、突出片４０の下面の根元側には、長手方向に沿って補強用のリブ１２４が設けられている。
【００６２】
ブラケット１１２の一端部２０Ｂには、突出片４０と反対方向に突出するストッパとしての突起部１２０が設けられている。ランプ１１６の取付部５２の下面には、ランプ１１６の幅方向両側にブラケット１１２側に突出するストッパとしての一対の突出部（当接部）１２２が設けられている。ブラケット１１２に対して回動部材１１４と共にランプ１１６が回動したときに、ランプ１１６の突出部１２２の内壁部１２２Ａがブラケット１１２の突起部１２０に当接可能となっている。このとき、突出部１２２の内壁部１２２Ａと突起部１２０とは、開口部４６の内壁部と突起部４８よりも先に当接するように設定されている。
【００６３】
また、ランプ１１６の下部には、ランプ１１６の回動部材１１４への装着位置で、ブラケット１１２の突起部４８に係止される係止部１２６が設けられている。係止部１２６は、幅方向に沿って横長に形成されており、軸部３４と対向する面が軸部３４を中心に円弧状に形成されている。これによって、回動部材１１４の回動位置によりブラケット１１２の突起部４８とランプ１１６の係止部１２６との係止状態が変化するのを防止できる。
【００６４】
このようなランプ角度調整装置１１０では、ユーザーが突出片４０の操作部４０Ｃを下方側に押して撓み変形させることで、回動部材１１４のブラケット１１２に対する回動角度を変更することができる。そして、回動部材１１４を任意の回動位置に回動させて突出片４０の操作部４０Ｃの下方側への押圧を解除することにより、突出片４０の凸部４０Ｂが回動部材１１４の複数の凹部４４のいずれか１つと係合され、回動部材１１４が固定される。例えば図１９に示すように、ランプ１１６をブラケット１１２の長手方向に沿った位置に回動させた状態で回動部材１１４を固定することができる。また、図２０に示すように、ランプ１１６の点灯部１６Ａ（図４参照）側の先端を図中の左方向に回動させた状態で、回動部材１１４を固定したり、図２１に示すように、ランプ１１６の点灯部１６Ａ（図４参照）側の先端を図中の右方向に回動させた状態で、回動部材１１４を固定したりすることができる。ブラケット１１２に対してランプ１１６が回動部材１１４と共に回動したときに、突出部１２２の内壁部１２２Ａが突起部１２０に当接することで、ランプ１１６の回動範囲が規制されるようになっている。
【００６５】
このようなランプ角度調整装置１１０では、突出片４０の操作部４０Ｃの下方側へ押圧して回動部材１１４を回動させるという簡単な操作により、ランプ１１６の回動角度を変更することできる。また、ブラケット１１２は、取付ネジ２６とナット２８によりハンドル２に締結固定されているので、ブラケット１１２をハンドル２に固定した状態で、ランプ１１６の横方向の角度を変更することができ、操作性が良い。
【００６６】
〔第３実施形態〕
【００６７】
以下、図２２及び図２３を用いて、本発明の第３実施形態について説明する。なお、前述した第１及び第２実施形態と同一構成部分については、同一番号を付してその説明を省略する。
【００６８】
図２２及び図２３に示されるように、ランプ角度調整装置６０のブラケット６２には、挟持部２０の一端部２０Ｂと反対側に、上面部２０Ｄの両サイドから長手方向に延びた一対の延設部６２Ａが設けられている。一対の延設部６２Ａは、ハンドル２（図１参照）の軸方向と直交する方向に延びている。一対の延設部６２Ａの先端部には、横部材６２Ｂが掛け渡されており、横部材６２Ｂと上面部２０Ｄとの間には開口部６８が形成されている。横部材６２Ｂの開口部６８側の壁面には、係合手段としての複数の尖形の凹部６６が形成されている。
【００６９】
回動部材６４には、横部材６２Ｂ側に長手方向に沿って被係合部材としての長板状の突出片７０が設けられている。突出片７０の両側（長手方向と直交する方向）には、スリット７２が形成されている。回動部材６４は樹脂で一体的に形成されており、突出片７０が下方側に撓み変形可能となっている。突出片７０の下面部には、開口部６８側に突出する突起部７４が設けられている。突起部７４の横部材６２Ｂと対向する面（軸部３４と反対側の面）には、複数の凹部６６と係合可能な被係合手段としての凸部７４Ａが形成されている。凸部７４Ａは、尖形であり、１個形成されている。突出片７０の先端にはユーザーが指で摘むことができる摘み部７６が設けられている。また、回動部材６４の上部には、ランプ１６（図１参照）が着脱可能に装着されるようになっている。
【００７０】
ブラケット６２の開口部６８は、回動部材６４の回動範囲に形成されており、回動部材６４の回動方向両側に形成された内壁部（当接部）６９がストッパとしての機能を有している。回動部材６４の突起部７４は開口部６８の内壁部６９間の寸法よりも小さく形成されている。これにより、回動部材６４が回動したときに、突起部７４の回動方向の壁面が開口部６８の内壁部６９に当接し、回動部材６４の回動が規制されるようになっている。
【００７１】
このようなランプ角度調整装置６０では、図２３に示されるように、回動部材６４に設けられた突出片７０の凸部７４Ａが、ブラケット６２に設けられた横部材６２Ｂの複数の凹部６６のいずれか１つ係合されることにより、回動部材６４が任意の回動位置で固定される。
【００７２】
回動部材６４のブラケット６２及びハンドル２（図１参照）に対する回動角度を変更する際には、ユーザーが突出片７０の摘み部７６を指で摘んで下方側（図２２中の矢印Ｂ方向）に押し下げて撓み変形させることで、突出片７０の凸部７４Ａとブラケット６２の凹部６６との係合が解除される。この状態で、回動部材６４をブラケット６２に対して軸部３４を中心に回動させることが可能となり、回動部材６４を任意の回動位置に回動させた状態で、突出片７０の摘み部７６から指を離して突出片７０の撓み変形を解除する。これにより、突出片７０の凸部７４Ａがブラケット６２の複数の凹部６６のいずれか１つと係合され、回動部材６４が固定される。
【００７３】
このため、突出片７０の摘み部７６の下方側へ押し下げて回動部材６４を回動させるという簡単な操作により、ランプ１６（図１参照）の回動角度を変更することできる。また、ブラケット６２は取付ネジ２６によりハンドル２（図１参照）に締結固定されているので、突出片７０の凸部７４Ａとブラケット６２の凹部６６との係合を解除しても、ブラケット６２のハンドル２に対する縦方向の位置が変わることがなく、回動部材６４の横方向の角度の調整が容易で操作性が良い。
【００７４】
なお、上記の第３実施形態では、ブラケット６２に複数の尖形の凹部６６を設け、回動部材６４に尖形の凸部７４Ａを設けたが、係合可能な形状であれば他の形状でもよい。また、ブラケット６２に複数の凸部を設け、回動部材６４に凹部を設ける構成でもよい。
【００７５】
なお、上記の第１〜第３実施形態では、ランプ１６は回動部材１４、６４に着脱可能に装着されているが、これに限らず、回動部材に一体的に設けられる構成でもよい。また、回動部材１４、６４に取付けられる取付部品はランプ１６に限らず、他の取付部品でもよい。
【００７６】
なお、上記の第１〜第３実施形態では、ブラケットに回動部材が回動可能に設けられ、回動部材にランプ（取付部品）が着脱可能に設けられているが、ブラケット、回動部材、取付部品の機能を逆に構成してもよい。すなわち、取付部品に回動部材が回動可能に設けられ、回動部材とブラケットが着脱可能に取付けられる構成でもよい。
【図面の簡単な説明】
【００７７】
【図１】本発明の第１実施形態に係るランプ角度調整装置を示す斜視図である。
【図２】図１に示すランプ角度調整装置を他の方向から見た斜視図である。
【図３】図１に示すランプ角度調整装置に用いられるブラケット及び回動部材からランプを取外した状態を示す斜視図である。
【図４】ランプ角度調整装置に用いられるランプ単体を示す斜視図である。
【図５】ランプ角度調整装置に用いられるブラケット及び回動部材の分解斜視図である。
【図６】図５に示すブラケット及び回動部材を他の方向から見た分解斜視図である。
【図７】（Ａ）はブラケット単体の平面図であり、（Ｂ）はブラケット単体の（Ａ）中のＡ−Ａ線に沿った状態で示す断面図である。
【図８】ブラケットの突出片を下方側に撓み変形させた状態を示す断面図である。
【図９】（Ａ）はランプ角度調整装置の組み付け状態を示す斜視図であり、（Ｂ）は突出片の突起、ブラケットの突起部、及びランプの係止部を拡大した部分斜視図である。
【図１０】ブラケットの凸部が回動部材の凹部に係合された状態を示す側面図である。
【図１１】（Ａ）は回動部材の凹部とブラケットの凸部とが係合した状態を示す平面図であり、（Ｂ）は（Ａ）に示す回動部材及びブラケットの斜視図である。
【図１２】（Ａ）は回動部材の点灯部側の先端を左方向に回動したときに回動部材の凹部とブラケットの凸部とが係合した状態を示す平面図であり、（Ｂ）は（Ａ）に示す回動部材及びブラケットの斜視図である。
【図１３】（Ａ）は回動部材の点灯部側の先端を右方向に回動したときに回動部材の凹部とブラケットの凸部とが係合した状態を示す平面図であり、（Ｂ）は（Ａ）に示す回動部材及びブラケットの斜視図である。
【図１４】第１実施形態に係るランプ角度調整装置が取付けられる二輪車のハンドル付近を示す斜視図である。
【図１５】第１実施形態の変形例に係るランプ角度調整装置に用いられるブラケット及び回動部材を示す平面図である。
【図１６】本発明の第２実施形態に係るランプ角度調整装置を示す斜視図である。
【図１７】図１６に示すランプ角度調整装置に用いられるブラケット及び回動部材からランプを取外した状態を示す斜視図である。
【図１８】ランプ角度調整装置に用いられるブラケット及び回動部材の分解斜視図である。
【図１９】ランプをブラケットの長手方向に沿って位置に回動させた状態を示す平面図である。
【図２０】ランプの点灯部側の先端をブラケットに対して左方向に回動させた状態を示す平面図である。
【図２１】ランプの点灯部側の先端をブラケットに対して右方向に回動させた状態を示す平面図である。
【図２２】本発明の第３実施形態に係るランプ角度調整装置に用いられるブラケット及び回動部材を示す分解斜視図である。
【図２３】図２２に示すブラケット及び回動部材の組み付け状態を示す斜視図である。
【符号の説明】
【００７８】
１     二輪車
２     ハンドル
１０   ランプ角度調整装置（取付部品角度調整機構）
１２   ブラケット
１４   回動部材
１６   ランプ（取付部品）
２６   取付ネジ
２８   ナット
３４   軸部（回動中心）
４０   突出片（係合部材）
４０Ｂ 凸部（係合部材）
４４   凹部（被係合手段）
４６   開口部（ストッパ）
４８   突起部（ストッパ）
５４   係止部
６０   ランプ角度調整装置
６２   ブラケット
６４   回動部材
６６   凹部（係合手段）
６８   開口部（ストッパ）
６９   内壁部（ストッパ）
７０   突出片（被係合部材）
７４Ａ 凸部（被係合部材）
１００ ランプ角度調整装置
１０２ 回動部材
１０４ 壁部（ストッパ）
１１０ ランプ角度調整装置
１１２ ブラケット
１１４ 回動部材
１１６ ランプ
１２０ 突起部（ストッパ）
１２２ 突出部（ストッパ）
１２６ 係止部
【図１】
0004913027.tif 000002
【図２】
0004913027.tif 000003
【図３】
0004913027.tif 000004
【図４】
0004913027.tif 000005
【図５】
0004913027.tif 000006
【図６】
0004913027.tif 000007
【図７】
0004913027.tif 000008
【図８】
0004913027.tif 000009
【図９】
0004913027.tif 000010
【図１０】
0004913027.tif 000011
【図１１】
0004913027.tif 000012
【図１２】
0004913027.tif 000013
【図１３】
0004913027.tif 000014
【図１４】
0004913027.tif 000015
【図１５】
0004913027.tif 000016
【図１６】
0004913027.tif 000017
【図１７】
0004913027.tif 000018
【図１８】
0004913027.tif 000019
【図１９】
0004913027.tif 000020
【図２０】
0004913027.tif 000021
【図２１】
0004913027.tif 000022
【図２２】
0004913027.tif 000023
【図２３】
0004913027.tif 000024